(57)【特許請求の範囲】
【請求項１】
コンピュータ装置である資産装置と、この資産装置に有線接続した構成機器と、この構成機器と相互に無線通信を行うと共に前記資産装置に有線接続したユーザ情報管理装置と、前記資産装置を介して前記資産装置、構成機器、およびユーザ情報管理装置の接続状態を管理する機器管理装置とを備えた資産管理システムであって、
前記構成機器およびユーザ情報管理装置それぞれは、前記構成機器およびユーザ情報管理装置間の距離が一定距離内である場合に相互にペアリング接続を確立してペアリング無線通信を行う近距離無線通信部と、前記構成機器およびユーザ情報管理装置が前記一定距離より短い一定近接距離より近接した場合に相互に相手を検出して近接無線通信を行う近接タグ通信部とを有し、
前記機器管理装置は、
前記資産装置、構成機器、およびユーザ情報管理装置相互間の接続状態を示す接続状態情報を取得する接続状態情報取得部と、
前記資産装置に対する構成機器およびユーザ情報管理装置の有線接続と前記ペアリング無線通信および近接無線通信の無線接続とが確立された接続状態を基準状態情報として記憶する基準状態情報記憶部と、
前記取得した接続状態情報と前記基準状態情報とが一致するか否かを判定する接続状態判定部とを備えたことを特徴とする資産管理システム。
【請求項２】
請求項１に記載の資産管理システムにおいて、
前記機器管理装置は、前記取得した接続状態情報の内容を示す接続状態テーブルを生成するテーブル情報生成手段と、
前記取得した接続状態情報の内容に基づき前記接続状態テーブルの内容を更新するテーブル情報更新手段とを備えたことを特徴とする資産管理システム。
【請求項３】
請求項２に記載の資産管理システムにおいて、
前記機器管理装置は、前記接続状態テーブルの内容が前記基準状態情報とが一致しない場合に、当該一致しない接続状態の内容を示す不正接続状態を前記資産装置に対して通知する不正接続状態内容通知手段を備えたことを特徴とする資産管理システム。
【請求項４】
前記請求項１に記載の資産管理システムにおいて、
前記機器管理装置は、前記取得した接続状態情報と前記基準状態情報とが一致しない場合に当該一致しない接続状態の内容を示す不正接続状態を前記資産装置に対して通知する不正接続内容通知手段を備えたことを特徴とする資産管理システム。
【請求項５】
前記請求項１または３に記載の資産管理システムにおいて、
前記構成機器およびユーザ情報管理装置それぞれが有する近接タグ通信部は、前記構成機器およびユーザ情報管理装置それぞれが前記資産装置に有線接続された場合に起動して前記近接無線通信を行うことを特徴とした資産管理システム。
【請求項６】
請求項１に記載の資産管理システムにおいて、
接続状態情報取得部は、前記接続状態情報として、接続状態にある前記資産装置、構成機器、およびユーザ情報管理装置それぞれの識別ＩＤを取得することを特徴とした資産管理システム。
【請求項７】
コンピュータ装置である資産装置と、この資産装置に有線接続した構成機器と、この構成機器と相互に無線通信を行うと共に前記資産装置に有線接続したユーザ情報管理装置を備えた資産管理システムにあって、前記資産装置、構成機器、およびユーザ情報管理装置の接続状態を管理する資産管理方法であって、
前記構成機器およびユーザ情報管理装置間の距離が一定距離内である場合に前記構成機器およびユーザ情報管理装置は、相互にペアリング無線通信を行うことにより無線接続を確立し、
前記構成機器およびユーザ情報管理装置が前記資産装置に対して有線接続し、前記構成機器およびユーザ情報管理装置が前記一定距離より短い一定近接距離より近接した場合に相互に相手を検出して近接無線通信を行い、
前記資産装置に接続して設定された機器管理装置が、前記資産装置、構成機器、およびユーザ情報管理装置相互間の接続状態を示す接続状態情報を取得し、
前記資産装置に対する構成機器およびユーザ情報管理装置の有線接続と前記ペアリング無線通信および近接無線通信の無線接続とが確立された接続状態を基準状態情報として記憶し、
前記取得した接続状態情報と前記基準状態情報とが一致するか否かを判定することを特徴とした資産管理方法。
【請求項８】
コンピュータ装置である資産装置と、この資産装置に有線接続した構成機器と、この構成機器と相互に無線通信を行うと共に前記資産装置に有線接続したユーザ情報管理装置と前記資産装置、構成機器、およびユーザ情報管理装置の接続状態を示す情報を取得する機器管理装置とを備え、前記構成機器およびユーザ情報管理装置が前記資産装置に対して有線接続し、前記構成機器およびユーザ情報管理装置間の距離が一定距離内である場合に前記構成機器およびユーザ情報管理装置は、相互にペアリング無線通信を行うことによりペアリング無線接続を確立すると共に、前記構成機器およびユーザ情報管理装置が前記一定距離より短い一定近接距離より近接した場合に相互に相手を検出して近接無線通信を行う資産管理システムにあって、前記接続状態を管理するための資産管理プログラムであって、
前記資産装置、構成機器、およびユーザ情報管理装置相互間の接続状態を示す接続状態情報を取得する処理を行う接続状態情報取得機能と、
前記資産装置に対する構成機器およびユーザ情報管理装置の有線接続と前記ペアリング無線通信および近接無線通信の無線接続とが確立された接続状態を基準状態情報として記憶する処理を行う基準状態情報記憶機能と、
前記取得した接続状態情報と前記基準状態情報とが一致するか否かを判定する接続状態判定機能とを、予め設定されたコンピュータに実現させるための資産管理プログラム。
【発明の詳細な説明】
【技術分野】
【０００１】
本発明は、情報処理装置などの資産装置およびその周辺機器の管理を行う装置管理システムに関する。
【背景技術】
【０００２】
企業内等に設置されたＰＣ（パーソナルコンピュータ）やサーバ装置などのコンピュータ機器に接続して動作するＵＳＢメモリ装置やプリンタなどの周辺構成装置（構成品）の管理を行う手法として、ＲＦＩＤ（Ｒａｄｉｏ  Ｆｒｅｑｕｅｎｃｙ  ＩＤｅｎｔｉｆｉｃａｔｉｏｎ）タグやＩＣ（Ｉｎｔｅｇｒａｔｅｄ  Ｃｉｒｃｕｉｔ）タグなどの無線タグやバーコードを利用して構成品の存在位置を管理する管理システムや、近距離通信システムであるＢｌｕｅＴｏｏｔｈにおけるペアリング機能を利用して構成品の位置を管理する管理システムが実現されており、この管理システムでは、無線タグ等が貼付された構成品の位置する場所（存在位置）が、一定範囲内であるか否かが示される。
【０００３】
しかしながら、コンピュータ機器に対する接続／切断が頻繁に行われる、例えば、ＵＳＢメモリ装置などの構成品においては、単純に存在位置を示す位置情報を管理情報として管理するだけでは、例えば、他の機器に対する接続や切断が行われた場合に、管理情報の不整合が生じるなどの不都合が生じ得る。
【０００４】
このような場合、上記管理システムでは、資産管理者が例えば手作業で管理情報の修正を行うといった手続きが必要となり、この場合、構成品の管理では、構成品の管理情報をリアルタイムに、且つ正確に管理することが困難となる。
【０００５】
更には、上記管理システムにおいては、構成品の存在位置を特定するだけではなく、例えば、構成品とその使用者との位置対応や構成品の使用状況など、構成品にかかる利用状態、利用状況をより厳密に管理することができないという不都合がある。
【０００６】
これに対する関連技術として、ＲＦＩＤタグを利用することにより、資産の不正な使用を把握し、機密性を有する資産の場合には機密の漏洩を防止するための資産管理システムが開示されている（特許文献１）。
【０００７】
また、この関連技術として、管理対象である物品に貼着されたＩＣタグから読み出される管理情報を利用することにより物品管理を行う物品管理システムが開示されている（特許文献２）。
更に、この関連技術として、物品の貸し出しを、物品に貼着されたＲＦＩＤタグに記憶された貸出期限を示す情報に基づき管理する物品貸出期限管理システムが開示されている（特許文献３）。
【先行技術文献】
【特許文献】
【０００８】
【特許文献１】特開２００７−１４８８３１号公報
【特許文献２】特開２００６−２５９８８７号公報
【特許文献３】特開２００５−２９８１００号公報
【発明の概要】
【発明が解決しようとする課題】
【０００９】
上記コンピュータ機器（資産装置）に接続して利用されるＵＳＢメモリ装置等の構成品に、例えば、機密性を有する情報が記憶されている場合、記憶された情報の漏洩などを防ぐために、構成品の利用者や利用状況を含めた管理を行うが必要となる。
しかしながら、上記特許文献１〜３に開示された関連技術では、上述のように、管理対象となる物品の存在する位置情報を管理するものであって、機密性を有する構成品の管理対象資産に対する接続／切断などの利用状況（利用状態）をリアルタイムに管理することができないという不都合がある。
また、利用者を含む利用状態に係る情報と構成品および管理対象資産の位置情報とを対応付けた管理を行うことができないという不都合がある。
【００１０】
［発明の目的］
本発明は、上記関連技術の有する不都合を改善し、資産に併設された構成品の不正な使用を有効に抑制する資産管理システム、資産装置方法、資産装置管理プログラムを提供することを、その目的とする。
【課題を解決するための手段】
【００１１】
上記目的を達成するために、本発明に係る資産管理システムは、コンピュータ装置である資産装置と、この資産装置に有線接続した構成機器と、この構成機器と相互に無線通信を行うと共に前記資産装置に有線接続したユーザ情報管理装置と、前記資産装置を介して前記資産装置、構成機器、およびユーザ情報管理装置の接続状態を管理する機器管理装置とを備えた資産管理システムであって、前記構成機器およびユーザ情報管理装置それぞれは、前記構成機器およびユーザ情報管理装置間の距離が一定距離内である場合に相互にペアリング接続を確立してペアリング無線通信を行う近距離無線通信部と、前記構成機器およびユーザ情報管理装置が前記一定距離より短い一定近接距離より近接した場合に相互に相手を検出して近接無線通信を行う近接タグ通信部とを有し、前記機器管理装置は、前記資産装置、構成機器、およびユーザ情報管理装置相互間の接続状態を示す接続状態情報を取得する接続状態情報取得部と、前記資産装置に対する構成機器およびユーザ情報管理装置の有線接続と前記ペアリング無線通信および近接無線通信の無線接続とが確立された接続状態を基準状態情報として記憶する基準状態情報記憶部と、前記取得した接続状態情報と前記基準状態情報とが一致するか否かを判定する接続状態判定部とを備えた構成をとっている。
【００１２】
また、本発明にかかる資産管理方法は、コンピュータ装置である資産装置と、この資産装置に有線接続した構成機器と、この構成機器と相互に無線通信を行うと共に前記資産装置に有線接続したユーザ情報管理装置を備えた資産管理システムにあって、前記資産装置、構成機器、およびユーザ情報管理装置の接続状態を管理する資産管理方法であって、前記構成機器およびユーザ情報管理装置間の距離が一定距離内である場合に前記構成機器およびユーザ情報管理装置は、相互にペアリング接続を確立してペアリング無線通信を行い無線接続を確立し、前記構成機器およびユーザ情報管理装置が前記資産装置に対して有線接続し、前記構成機器およびユーザ情報管理装置が前記一定距離より短い一定近接距離より近接した場合に相互に相手を検出して近接無線通信を行い、前記資産装置に接続して設定された機器管理装置が、前記資産装置、構成機器、およびユーザ情報管理装置相互間の接続状態を示す接続状態情報を取得し、前記資産装置に対する構成機器およびユーザ情報管理装置の有線接続と前記ペアリング無線通信および近接無線通信の無線接続とが確立された接続状態を基準状態情報として記憶し、前記取得した接続状態情報と前記基準状態情報とが一致するか否かを判定することを特徴としている。
【００１３】
又、本発明にかかる資産管理プログラムは、コンピュータ装置である資産装置と、この資産装置に有線接続した構成機器と、この構成機器と相互に無線通信を行うと共に前記資産装置に有線接続したユーザ情報管理装置と前記資産装置、構成機器、およびユーザ情報管理装置の接続状態を示す情報を取得する機器管理装置とを備え、前記構成機器およびユーザ情報管理装置が前記資産装置に対して有線接続し、前記構成機器およびユーザ情報管理装置間の距離が一定距離内である場合に前記構成機器およびユーザ情報管理装置は、相互にペアリング接続を確立してペアリング無線通信を行い無線接続を確立すると共に、前記構成機器およびユーザ情報管理装置が前記一定距離より短い一定近接距離より近接した場合に相互に相手を検出して近接無線通信を行う資産管理システムにあって、前記接続状態を管理するための資産管理プログラムであって、前記資産装置、構成機器、およびユーザ情報管理装置相互間の接続状態を示す接続状態情報を取得する処理を行う接続状態情報取得機能と、前記資産装置に対する構成機器およびユーザ情報管理装置の有線接続と前記ペアリング無線通信および近接無線通信の無線接続とが確立された接続状態を基準状態情報として記憶する処理を行う基準状態情報記憶機能と、前記取得した接続状態情報と前記基準状態情報とが一致するか否かを判定する接続状態判定機能とを、予め設定されたコンピュータに実現させることを特徴としている。
【発明の効果】
【００１４】
本発明は、以上のように構成され機能するので、これによると、構成機器およびユーザ情報管理装置がそれぞれ相互にペアリング無線接続を確立する手段と、構成機器およびユーザ情報管理装置が一定距離より近接した場合に、相互に相手を検出して近接無線接続を確立する手段を備え、構成品およびユーザ情報管理装置が資産装置に対して有線接続し、機器管理装置が、資産装置を介して構成品、ユーザ情報管理装置、および資産装置の接続状態を監視する構成としたことにより、資産装置に併設された構成機器の不正な使用を有効に抑制することを可能とする資産管理システム、資産管理方法、および資産管理プログラムを提供することができる。
【図面の簡単な説明】
【００１５】
【図１】本発明による資産管理システムにおける一実施形態を示す概略ブロック図である。
【図２】図１に開示した資産管理システムにおける全体の動作処理ステップを示すフローチャートである。
【図３】図１に開示した資産管理システムにおける資産管理データベースに記憶された資産管理情報テーブルの一例を示す説明図である。
【図４】図１に開示した資産管理システムにおける資産管理データベースに記憶された資産管理情報テーブルの一例を示す説明図である。
【図５】図１に開示した資産管理システムにおける管理対象資産、ユーザ管理キー装置、および構成品の接続状態の一例を示す概略ブロック図である。
【図６】図１に開示した資産管理システムにおける図５に開示した接続状態時の動作処理ステップを示すフローチャートである。
【図７】図１に開示した資産管理システムにおける資産管理データベースに記憶された資産管理情報テーブルの一例を示す説明図である。
【図８】図１に開示した資産管理システムにおける管理対象資産、ユーザ管理キー装置、および構成品の接続状態の一例を示す概略ブロック図である。
【図９】図１に開示した資産管理システムにおける図８に開示した接続状態時の動作処理ステップを示すフローチャートである。
【図１０】図１に開示した資産管理システムにおける資産管理データベースに記憶された資産管理情報テーブルの一例を示す説明図である。
【発明を実施するための形態】
【００１６】
［実施形態］
次に、本発明の実施形態について、その基本的構成内容を説明する。
【００１７】
本実施形態である資産管理システムは、図１に示すように、コンピュータ装置である管理対象資産装置（資産装置）Ｃ０１と、管理対象資産装置Ｃ０１に対してＵＳＢインタフェースを介して有線接続（ＵＳＢ接続）する構成品（構成機器）Ａ０１と、管理対象資産装置Ｃ０１に対してＵＳＢ接続すると共に構成品Ａ０１との無線通信を行うユーザ管理キー装置Ｂ０２を備え、さらに、管理対象資産Ｃ０１を介して、構成品Ａ０１、ユーザ管理キー装置Ｂ０１、および管理対象資産装置Ｃ０１の接続状態、および通信状態を示す情報を取得すると共に、この情報を予め設置された資産管理データベースＥ０１に格納する資産管理マネージャ装置Ｄ０１を備えた構成を有する。
【００１８】
また、管理対象資産装置（管理対象資産）Ｃ０１は、ＣＰＵ（Ｃｅｎｔｒａｌ  Ｐｒｏｃｅｓｓｉｎｇ  Ｕｎｉｔ）、メモリ、ＨＤＤ（Ｈａｒｄ  Ｄｉｓｋ  Ｄｒｉｖｅ）などの記憶装置を備えた、一般のコンピュータ装置であり、上記ＣＰＵが予め設定されたプログラムに基づく実行処理を行うことにより、以下に示す資産管理エージェントＣ０２の有する機能動作を実現する。
【００１９】
構成品Ａ０１およびユーザ管理キー装置Ｂ０１は、それぞれＢｌｕｅｔｏｏｔｈ通信手段を有するＢｌｕｅｔｏｏｔｈ機器であって、構成品Ａ０１は、Ｂｌｕｅｔｏｏｔｈのペアリング通信を制御するペアリング通信管理機能Ａ０２を備え、また、ユーザ管理キー装置Ｂ０１は、Ｂｌｕｅｔｏｏｔｈのペアリング通信を制御するペアリング通信管理機能Ａ０２を備えている。
【００２０】
ここで、例えば、資産利用者が、ユーザ管理キーＢ０１のペアリング機能をＯＮ状態に設定した場合に、ペアリング通信管理機能Ｂ０２は、構成品Ａ０１を発見し、ペアリング通信管理機能Ａ０２とのペアリング処理を行う。また、構成品Ａ０１のペアリング通信管理機能Ａ０２が、ユーザ管理キーＢ０１のペアリング通信管理機能Ｂ０２を発見し、ペアリング処理を行う設定であってもよい。
【００２１】
これにより、ペアリング通信管理機能Ａ０２およびペアリング通信管理機能Ｂ０２がペアリング有効状態に設定され、構成品Ａ０１とユーザ管理キー装置（ユーザ管理キー）Ｂ０１とが、相互にＢｌｕｅｔｏｏｔｈを利用した近距離無線通信を行うことができる。
また、構成品Ａ０１のペアリング通信管理機能Ａ０２は、予め設定された構成品ＩＤ（ここでは、「１」）を確立されたペアリング通信を介してユーザ管理キーＢ０１に通知する構成品ＩＤ通知機能を有する。
【００２２】
また、構成品Ａ０１およびユーザ管理キー装置Ｂ０１は、例えば、ＲＦＩＤタグなどの近接通信を行うための近接通信タグ手段を、それぞれ有する。
構成品Ａ０１は、当該構成品Ａ０１に設けられた近接通信タグ手段を利用して、一定距離内に位置する近接通信タグ手段（ここでは、ユーザ管理キー装置Ｂ０１の近接タグ手段）を検知し、近接通信タグ手段間における近接通信を確立し制御する近接通信管理機能Ａ０３を有する。
また、ユーザ管理キー装置Ｂ０１は、当該ユーザ管理キー装置Ｂ０１に設けられた近接通信タグ手段を利用して、一定距離内に位置する近接通信タグ手段（ここでは、構成品Ａ０１の近接通信タグ手段）を検知し、この近接通信タグ手段間における近接通信を確立し制御する近接通信管理機能Ｂ０３を有する。
【００２３】
ここでは、資産利用者が管理対象資産装置（管理対象資産）Ｃ０１のＵＳＢインタフェースに対してユーザ管理キーＢ０１および構成品Ａ０１をＵＳＢ接続した場合に、管理対象資産装置Ｃ０１から、構成品Ａ０１およびユーザ管理キー装置Ｂ０１の近接通信タグ手段に対して電源供給がなされ、近接通信タグ手段間における近接通信が行われるものする。
尚、ユーザ管理キーＢ０１および構成品Ａ０１は、管理対象資産Ｃ０１にＵＳＢ接続をした時点で相互に近接通信範囲に位置するものとする。
【００２４】
更に、ユーザ管理キー装置Ｂ０２は、その内部に情報記憶領域（構成品ＩＤデータベースＢ０４）を備え、構成品Ａ０１から無線通信を介して送り込まれた構成品ＩＤを、構成品ＩＤデータベースに格納する構成品ＩＤ格納機能を有する。
この構成品ＩＤ格納機能では、ユーザ管理キーＢ０１と構成品Ａ０１とが相互に無線通信を行うことにより、構成品ＩＤと使用者ＩＤを関連付けて管理する。
尚、ユーザ管理キー装置Ｂ０２は、ユーザがユーザ管理キー装置Ｂ０２を管理対象資産にＵＳＢ接続することにより、管理対象資産装置Ｃ０１が利用可能状態に設定されるトグルキー機能を備えた設定であってもよい。
【００２５】
管理対象資産Ｃ０１の資産管理エージェントＣ０２は、構成品Ａ０１およびユーザ管理キーＢ０１それぞれの管理対象資産装置Ｃ０１に対するＵＳＢ接続の有無、構成品Ａ０１およびユーザ管理キーＢ０１間の無線通信（ペアリング通信、および近接通信）の通信状態を検知する通信状態監視機能を備えている。
ここで、資産管理エージェントＣ０２は、構成品Ａ０１およびユーザ管理キーＢ０１間における、ペアリング通信、および、近接通信接続が確立され、且つ構成品Ａ０１およびユーザ管理キーＢ０１それぞれから管理対象資産Ｃ０１へのＵＳＢ接続が検知された場合に、ユーザ管理キーＡ０１の構成品ＩＤ，ユーザ管理キー装置のユーザＩＤ，および管理対象資産（自己）の資産ＩＤを、資産管理マネージャＤ０１に通知する対応ＩＤ通知機能を有する。
尚、上記構成品ＩＤおよびユーザＩＤは、ユーザ管理キー装置Ｂ０１からＵＳＢ接続を介して管理対象資産装置Ｃ０１（資産管理エージェントＣ０２）に通知され、構成品／ユーザＩＤデータベースＣ３内に登録されているものとする。
【００２６】
また、構成品Ａ０１と管理対象資産装置Ｃ０１とのＵＳＢ接続が切断された場合、資産管理エージェントＣ０２は、構成品Ａ０１の切断（ＵＳＢ切断）を検知する切断検知機能を有する。
これは、例えば、ユーザ以外の不正な利用者（不正利用者という）が、ユーザ管理キー装置Ｂ０１を保持するユーザが管理対象資産装置Ｃ０１の利用中に、管理対象資産装置Ｃ０１から構成品０１を抜き取り、管理対象資産装置Ｃ０１の設置された位置とは別の場所へと移動した場合などを想定される。
【００２７】
また、資産管理エージェントＣ０２は、利用者により上記ペアリングが解除された場合には、ユーザ管理キー装置Ｂ０１からペアリングが解除されたことを示すペアリング解除通知情報（通信状態情報）を取得し、これを資産管理マネージャＤ０１に通知する。
【００２８】
また、例えば、ユーザ管理キー装置Ｂ０１および管理対象資産装置Ｃ０１のＵＳＢ接続が切断された場合（図８）、資産管理エージェントＣ０２は、ユーザ管理キーの切断（ＵＳＢ切断）を検知する。
尚、ここでは、ユーザ管理キー装置Ｂ０１を保持するユーザが、管理対象資産装置Ｃ０１の設置された位置とは別の場所へと移動した場合、つまり、ユーザがＵＳＢ接続装置であるユーザ管理キーを管理対象資産Ｃ０１のＵＳＢインタフェースから抜き取り、これを保持した状態で移動した場合を想定している。このとき、構成品Ａ０１とユーザ管理キー装置Ｂ０１とは、一定距離以上に離れた状態（近接通信範囲外）となるため、両者間の近接接続が切断される
【００２９】
更に、資産管理エージェントＣ０２は、構成品Ａ０１およびユーザ管理キーＢ０１間の近接接続が切断された場合も、これを検知し、資産管理マネージャＤ０１に対して、近接接続の切断を通知する（切断検知機能）。
これに応じて、資産管理マネージャＤ０１は、資産管理情報テーブルに記載された構成品ＩＤを削除する更新を行う。
ここで、更新後の資産管理情報テーブルの内容を、図７に示す。ここでは、資産ＩＤ００１の情報から、構成品ＩＤ（１）の情報が削除されている。
【００３０】
また、資産管理エージェントＣ０２は、資産管理マネージャがテーブル情報の内容から通信状態の不正状態を検知した場合に、ユーザ管理キー装置Ｂ０１に対して、（構成品Ａ０１およびユーザ管理キー装置Ｂ０１間の）ペアリング設定の解除を要求するペアリング解除要求通知機能を有する。尚、資産管理マネージャＤ０１は、常時資産管理情報テーブルの内容の監視を行っているものとする（テーブル情報監視機能）。
【００３１】
更に、例えば、ユーザ管理キーＢ０１のＵＳＢ切断を検知した資産管理エージェントＣ０２は、資産管理マネージャＤ０１に対して、資産管理情報テーブルにおけるユーザＩＤの削除を要求し、資産管理マネージャＤ０１は資産管理データベースＥ０１に格納された資産管理情報テーブルに記載されたユーザＩＤを削除する更新を行う。ここで、更新後の資産管理情報テーブルの内容を、図１０に示す。
【００３２】
資産管理マネージャＤ０１は、資産管理エージェントＣ０２から送り込まれた通信状態を示す情報に基づき、資産管理情報テーブルの内容を更新すると共に、常時資産管理情報テーブルの内容（更新された内容）をチェックする（資産管理情報監視機能）。
尚、資産管理マネージャＤ０１は、構成品のＩＤ情報，管理対象資産（および構成品）を使用しているユーザのユーザＩＤ，資産装置Ｃ０１の資産ＩＤの３者を関連付けて管理している。リアルタイムにテーブル情報を修正／変更などの更新を行うものとする。
【００３３】
このため、資産管理マネージャＤ０１は、構成品Ａ０１およびユーザ管理キーＢ０２間における近接通信の切断、ＵＳＢ接続切断、ペアリング解除忘れなどの、テーブル情報における論理的な情報の不正状態を検出した場合に、管理情報に不整合が発生したこと、および不整合な接続状態（不正な状態）の内容を示す情報（不整合内容通知情報）を資産管理エージェントに通知する（不整合内容通知機能）。
【００３４】
また、資産管理マネージャ装置（資産管理マネージャ）Ｄ０１は、上述のように、資産管理エージェントＣ０２から通知された資産ＩＤ，構成品ＩＤ，ユーザＩＤを、資産管理データベースＥ０１内に設定された資産管理情報テーブルに記録する資産管理情報書込機能を有する。
【００３５】
ここで、図３に、構成品Ａ０１およびユーザ管理キーＢ０１が管理対象資産Ｃ０１にＵＳＢ接続されていない状態時における資産管理情報テーブルの内容を示す。
ここでは、資産管理エージェントＣ０２から予め資産ＩＤ（００１）が通知されているため、資産管理情報テーブル内には、管理対象としての資産ＩＤ（００１）が記載されているが、構成品ＩＤ，ユーザＩＤは、まだ記録されていない。
【００３６】
また、例えば、資産管理マネージャＤ０１は、ユーザ管理キーＢ０１から資産管理エージェントＣ０２を介して構成品ＩＤ（１）とユーザＩＤ（１００）が通知された場合、資産管理情報テーブルにおける対応する資産ＩＤ（００１）の行項目に、構成品ＩＤ（１）と、ユーザＩＤ（１００）を追記する（図４）。
【００３７】
これにより、資産管理マネージャＤ０１は、上記資産管理情報テーブルで、管理対象資産Ｃ０１に対して接続状態にある構成品Ａ０１に対して、使用者および資産のＩＤを関連付けて管理することができる。
【００３８】
また、資産管理マネージャＤ０１は、更新後の資産管理情報テーブルの内容から、「構成品ＩＤが登録されているが、ユーザＩＤと紐付けられていない」つまり、資産ＩＤ００１は正規ユーザが使用できない状態にある、不正な状態であると判定した場合、資産管理マネージャＤ０１は、予め設定された管理対象資産Ｃ０１のユーザに対して、不正な状態が検出された示す警告情報を通知する
尚、この通知（警告情報）は、管理対象資産装置Ｃ０１に対して行われる設定でもよいが、予め設定された電子メールアドレス等に対して通知される設定であってもよい。
【００３９】
以上のように、本実施形態では、管理対象とする構成品と、この構成品と異なる２つの無線通信（ペアリング通信、近接通信）を行うと共にユーザＩＤを保持したユーザ管理キーとが管理対象資産装置にＵＳＢ接続し、この管理対象資産装置を介して資産管理マネージャが、構成品、ユーザ管理キー、および管理対象資産装置の３者の通信状態、接続状態、利用状態などを一括管理する
【００４０】
これによって、ユーザが使用している構成品および資産装置のＩＤ情報と、ユーザのユーザ情報の３者を接続状態を示すテーブル情報として関連付けて管理することによって、例えば、切断やペアリング解除忘れなどの、論理的な情報の不整合を検出した場合に、リアルタイムにテーブル情報の更新を行うことを可能とする。
【００４１】
［実施形態の動作説明］
次に、本実施形態の動作について、その概略を説明する。
まず、構成品（構成機器）Ａ０１およびユーザ管理キー（ユーザ情報管理装置）Ｂ０１間の距離が一定距離内である場合に相互にペアリング無線接続を確立し、構成品Ａ０１およびユーザ管理キーＢ０１が、管理対象資産Ｃ０１に対して有線接続し、構成品Ａ０１およびユーザ管理キーＢ０１が、一定距離より短い一定近接距離より近接した場合に、相互に相手を検出して近接無線通信を行い、管理対象資産Ｃ０１に接続して設定された資産管理マネージャ（機器管理装置）Ｄ０１が、構成品Ａ０１、ユーザ管理キーＢ０１、および管理対象資産Ｃ０１相互間の接続状態を示す接続状態情報を取得し（接続状態情報取得工程）、管理対象資産Ｃ０１に対する構成品Ａ０１およびユーザ管理キーＢ０１の有線接続とペアリング無線通信および近接無線通信の無線接続とが確立された接続状態を基準状態情報として記憶する（基準状態情報記憶工程）と共に、取得した接続状態情報と前記基準接続状態情報とが一致するか否かの判定を行う（接続状態判定工程）。
【００４２】
ここで、上記接続状態情報取得工程、基準状態情報記憶工程、および接続状態判定工程については、その実行内容をプログラム化し、コンピュータに実行させるように構成してもよい。
【００４３】
次に、本実施形態にかかる装置資産管理システムの動作について、図２のフローチャートに基づいて説明する。ここでは、資産利用者がユーザ管理キー装置Ｂ０１を保持しているものとする。
【００４４】
まず、ユーザ管理キー装置（以下「ユーザ管理キー」という）Ｂ０１のペアリング通信管理機能Ｂ０２が構成品Ａ０１のペアリング通信管理機能Ａ０２に対してペアリング（接続設定）を行い、これにより、構成品Ａ０１とユーザ管理キー装置（ユーザ管理キー）Ｂ０１とが相互に近距離無線通信を行う（ステップＦ０１）。
ここでは、Ｂｌｕｅｔｏｏｔｈを利用してペアリングが行われるものとする。
具体的には、まず、資産利用者が、ユーザ管理キーのペアリング機能をＯＮ状態に設定し、ペアリング通信管理機能Ｂ０２が、構成品Ａ０１を発見し、ペアリング処理を行う。
【００４５】
次いで、資産利用者が管理対象資産装置（管理対象資産）Ｃ０１のＵＳＢインタフェースに対して、ユーザ管理キーＢ０１および構成品Ａ０１を（ＵＳＢ）接続する（ステップＦ０２、Ｆ０３）。
【００４６】
ユーザ管理キーＢ０１と構成品Ａ０１とがそれぞれ管理対象資産Ｃ０１に接続された場合に、ユーザ管理キーＢ０１および構成品Ａ０１それぞれには、管理対象資産Ｃ０１から電源が供給され、これに伴い、近接通信管理機能Ａ０３およびＢ０３間で近接通信が確立される（ステップＦ０４）。尚、上記近接通信はＲＦＩＤタグを利用した無線タグ通信であるものとする。
尚、ユーザ管理キーＢ０１および構成品Ａ０１は、管理対象資産Ｃ０１にＵＳＢ接続をした時点で相互に近接通信範囲に位置するものとする。
【００４７】
次いで、構成品Ａ０１からユーザ管理キーＢ０１に、ペアリング通信を介して、構成品ＩＤが通知され、ユーザ管理キーＢ０１は、これを構成品ＩＤデータベースＢ０４に記憶する。（ステップＦ０５）。
【００４８】
資産管理エージェントＣ０２は、構成品Ａ０１およびユーザ管理キーＢ０１間のペアリング通信の確立、近接通信接続の成立、およびユーザ管理キーのＵＳＢ接続を検知した場合に、予め構成品／ユーザＩＤデータベースＣ３内に記録された、ユーザ管理キー内の構成品ＩＤ，ユーザＩＤ，および自身の資産ＩＤを、資産管理マネージャＤ０１に通知する（ステップＦ０６）。
【００４９】
資産管理マネージャＤ０１は、資産管理エージェントＣ０２から通知された資産ＩＤ，構成品ＩＤ，ユーザＩＤを、資産管理データベースＥ０１の資産管理情報テーブルに記録する。
ここでは、ユーザ管理キーＢ０１から、資産管理エージェントＣ０２を介して、構成品ＩＤ（１）とユーザＩＤ（１００）が通知され、これにより、テーブルの資産ＩＤ（００１）の行項目には、構成品ＩＤ（１）とユーザＩＤ（１００）が追記される（図４）。
【００５０】
これにより、資産管理マネージャＤ０１は、上記資産管理情報テーブルで、管理対象資産Ｃ０１に対して接続状態にある構成品Ａ０１に対して、使用者および資産のＩＤを関連付けて管理することができる。
また、管理対象資産Ｃ０１に接続されたユーザ管理キーＢ０１は、当該ユーザ管理キーＢ０１と構成品Ａ０１とが相互に無線通信を行うことにより、構成品ＩＤと使用者ＩＤを関連付けて管理することができる（構成品ＩＤデータベースＢ０４）。
【００５１】
次に、上記実施形態で、構成品Ａ０１および管理対象資産装置Ｃ０１におけるＵＳＢ接続が切断された場合（図５）の装置資産管理システムの動作について、図６のフローチャートに基づいて説明する。
【００５２】
まず、構成品Ａ０１と管理対象資産装置Ｃ０１とのＵＳＢ接続が切断される（構成品切断：ステップＧ０１）。また、このとき、資産管理エージェントＣ０２は、構成品Ａ０１の切断（ＵＳＢ切断）を検知する。
ここでは、例えば、ユーザ以外の不正な利用者（不正利用者という）が、ユーザ管理キー装置Ｂ０１を保持するユーザが管理対象資産装置Ｃ０１の利用中に、管理対象資産装置Ｃ０１から構成品０１を抜き取り、管理対象資産装置Ｃ０１の設置された位置とは別の場所へと移動した場合などを想定している。
【００５３】
このとき、構成品Ａ０１とユーザ管理キー装置Ｂ０１とは、一定距離以上に離れた状態（近接通信範囲外）となるため、両者間で確立されていた近接接続が切断される（構成品とユーザ管理キーの近接接続切断：ステップＧ０２）。
【００５４】
次いで、ユーザ管理キーＢ０１が近接接続の切断を検知し（ステップＧ０３）、ＵＳＢ接続を介して資産管理エージェントＣ０２に対して、この近接接続の切断を通知する。次いで、資産管理エージェントＣ０２は、近接接続が切断された構成品ＩＤを資産管理情報テーブルから削除することを、資産管理マネージャＤ０１に対して要求する（構成品ＩＤ削除を通知：ステップＧ０４）。
【００５５】
これに応じて、資産管理マネージャＤ０１は、資産管理データベースＥ０１に格納された資産管理情報テーブルに記載された構成品ＩＤを削除する更新を行う。（資産管理ＤＢを更新：ステップＧ０５）。
ここで、更新後の資産管理情報テーブルの内容を、図７に示す。ここでは、資産ＩＤ００１の情報から、構成品ＩＤ１の情報が削除されたことが示されている。
【００５６】
次いで、資産管理エージェントＣ０２は、上記資産管理情報テーブルの更新された内容を不正状態と判断して、資産利用者に対して、構成品Ａ０１およびユーザ管理キー装置Ｂ０１間のペアリングの解除を要求する。（ペアリング解除要求Ｇ０６）
ここで、資産管理エージェントＣ０２は、ペアリング解除要求を管理対象資産装置Ｃ０１の表示画面に出力する。尚、資産管理エージェントＣ０２は、ペアリング解除要求を予め設定された、例えば、利用者メールアドレスなどに通知する設定であってもよい。
【００５７】
ここで、利用者により上記ペアリングが解除された場合には、ユーザ管理キー装置Ｂ０１からペアリング解除通知が資産管理エージェントＣ０２を介して資産管理マネージャＤ０１に送られ、資産管理マネージャＤ０１により、資産管理情報テーブルの内容は、構成品Ａ０１の接続およびペアリングが設定される以前の状態（図３の資産ＩＤ００１行）を示す内容に、更新される。
【００５８】
次に、上記実施形態で、ユーザ管理キー装置Ｂ０１および管理対象資産装置Ｃ０１のＵＳＢ接続が切断された場合（図８）における装置資産管理システムの動作について、図９のフローチャートに基づいて説明する。
【００５９】
まず、ユーザ管理キー装置Ｂ０１と管理対象資産装置Ｃ０１とのＵＳＢ接続が切断される（ユーザ管理キー切断：ステップＨ０１）。また、このとき、資産管理エージェントＣ０２は、ユーザ管理キーの切断（ＵＳＢ切断）を検知する。
ここでは、ユーザ管理キー装置Ｂ０１を保持するユーザが、管理対象資産装置Ｃ０１の設置された位置とは別の場所へと移動した場合などを想定している。
このとき、ユーザはＵＳＢ接続装置であるユーザ管理キーを管理対象資産Ｃ０１のＵＳＢインタフェースから抜き取り、これを保持した状態で移動する。
【００６０】
このとき、構成品Ａ０１とユーザ管理キー装置Ｂ０１とは、一定距離以上に離れた状態（近接通信範囲外）となるため、両者間の近接接続が切断される（構成品とユーザ管理キーの近接接続切断：ステップＨ０２）。
【００６１】
次いで、ユーザ管理キーの切断を検知した資産管理エージェントＣ０２は、資産管理マネージャＤ０１に対して、資産管理情報テーブルにおけるユーザＩＤの削除を要求する（ユーザＩＤ削除を通知：ステップＨ０３）。これに応じて、資産管理マネージャＤ０１は資産管理データベースＥ０１に格納された資産管理情報テーブルに記載されたユーザＩＤを削除する更新を行う。（資産管理ＤＢを更新：ステップＨ０４）。
ここで、更新後の資産管理情報テーブルの内容を、図１０に示す。
【００６２】
このとき、資産管理マネージャは、更新後の資産管理情報テーブルから、「構成品ＩＤが登録されているが、ユーザＩＤと紐付けられていない」つまり、資産ＩＤ００１は正規ユーザが使用できない状態にある、不正な状態であると判定する（管理情報の不整合を検出：ステップＨ０５）。
【００６３】
資産管理情報テーブル内における不整合を検出した資産管理マネージャＤ０１は、予め設定された管理対象資産Ｃ０１のユーザに対して、不正な状態が検出された示す警告情報を通知する（使用者に対して警告を通知：ステップＨ０６）。尚、この通知は、管理対象資産装置Ｃ０１に対して行われる設定でもよいが、予め設定された電子メールアドレス等に対して通知される設定であってもよい。
【００６４】
以上のように、本実施形態では、ユーザが使用している構成品および資産装置のＩＤ情報と、ユーザのユーザ情報（ユーザＩＤ）の３者を、機器の接続状態を示すテーブル情報として関連付けて管理することによって、例えば、機器間の切断、ペアリング解除忘れ、第３者による資産、構成品の使用などを、論理的な情報の不整合に基づき検出し、リアルタイムにテーブル情報に反映することを可能とする。
【産業上の利用可能性】
【００６５】
本発明は、情報処理装置の周辺機器と、この周辺機器の利用者にかかる情報や周辺機器の利用状態を示す情報とを対応付け、ネットワークを介して遠隔管理する機器利用状態管理システムに対して有用に適用することができる。
【符号の説明】
【００６６】
Ａ０１  構成品
Ａ０２、Ｂ０２  ペアリング通信管理機能
Ａ０３、Ｂ０３  近接通信管理機能
Ｂ０１  ユーザ管理キー装置
Ｃ０１  管理対象資産装置
Ｃ０２  資産管理エージェント
Ｄ０１  資産管理マネージャ
Ｅ０１  資産管理データベース（ＤＢ）
【図１】
0005477005.tif 000002
【図２】
0005477005.tif 000003
【図３】
0005477005.tif 000004
【図４】
0005477005.tif 000005
【図５】
0005477005.tif 000006
【図６】
0005477005.tif 000007
【図７】
0005477005.tif 000008
【図８】
0005477005.tif 000009
【図９】
0005477005.tif 000010
【図１０】
0005477005.tif 000011